(57)【特許請求の範囲】
【請求項１】
厚さ方向において互いに反対側を向く第１表面および第１裏面、並びに前記第１裏面から前記厚さ方向に沈降した第１底面を有する第１電極と、
前記第１表面に搭載されたＬＥＤチップと、
前記第１電極の一部を覆い、かつ前記ＬＥＤチップを囲む側壁部を有するケースと、を備え、
前記第１裏面は、前記ケースから露出しており、
前記第１底面は、前記ケースに覆われており、
前記ケースは、厚さ方向視において前記側壁部から外方および内方の双方に膨出する部分が形成された第１保持部を有しており、
前記第１底面の一部が、前記第１保持部に覆われていることを特徴とする、ＬＥＤモジュール。
【請求項２】
前記第１保持部が、円柱状である、請求項１に記載のＬＥＤモジュール。
【請求項３】
前記第１保持部および前記側壁部は、前記第１表面と同方向を向き、かつ互いに面一である面を有する、請求項１または２に記載のＬＥＤモジュール。
【請求項４】
前記側壁部が前記厚さ方向視において矩形状であり、前記第１保持部は、前記側壁部の隅部に位置する、請求項１ないし３のいずれかに記載のＬＥＤモジュール。
【請求項５】
前記第１表面と同方向を向く第２表面、前記第２表面とは反対側を向く第２裏面、前記第２裏面から前記厚さ方向に沈降した第２底面を有し、かつ前記第２表面に接続されたワイヤを介して前記ＬＥＤチップに接続された第２電極をさらに備え、
前記第２裏面は、前記ケースから露出しており、
前記第２底面は、前記ケースに覆われており、
前記ケースは、前記厚さ方向視において前記側壁部から外方および内方の双方に膨出する部分が形成された第２保持部を有しており、
前記第２底面の一部が、前記第２保持部に覆われている、請求項１ないし４のいずれかに記載のＬＥＤモジュール。
【請求項６】
前記第２保持部が、円柱状である、請求項５に記載のＬＥＤモジュール。
【請求項７】
前記第２保持部および前記側壁部は、前記第１表面と同方向を向き、かつ互いに面一である面を有する、請求項５または６に記載のＬＥＤモジュール。
【請求項８】
前記側壁部が前記厚さ方向視において矩形状であり、前記第２保持部は、前記側壁部の隅部に位置する、請求項５ないし７のいずれかに記載のＬＥＤモジュール。
【請求項９】
前記ケースには、２つの前記第１保持部と、１つのみの前記第２保持部とが形成されている、請求項５ないし８のいずれかに記載のＬＥＤモジュール。
【請求項１０】
前記ケースには、１つのみの前記第１保持部と、２つの前記第２保持部とが形成されている、請求項５ないし８のいずれかに記載のＬＥＤモジュール。
【請求項１１】
前記ケースには、２つの前記第１保持部と、２つの前記第２保持部とが形成されている、請求項５ないし８のいずれかに記載のＬＥＤモジュール。
【請求項１２】
前記第１電極は、前記厚さ方向に貫通する第１貫通孔を有する、請求項１ないし１１のいずれかに記載のＬＥＤモジュール。
【請求項１３】
前記第１電極は、前記第１貫通孔の前記第１表面側に位置する内周縁から内方に突出するひさし部を有する、請求項１２に記載のＬＥＤモジュール。
【請求項１４】
前記第１貫通孔は、前記厚さ方向視において、前記ケースの前記側壁部と重なる、請求項１２または１３に記載のＬＥＤモジュール。
【請求項１５】
前記第１貫通孔は、前記厚さ方向視において、前記側壁部の内方に位置する、請求項１４に記載のＬＥＤモジュール。
【請求項１６】
前記第１貫通孔は、前記厚さ方向視において、前記側壁部の外方に位置する、請求項１４または１５に記載のＬＥＤモジュール。
【請求項１７】
前記第１貫通孔は、楕円形状である、請求項１２ないし１６のいずれかに記載のＬＥＤモジュール。
【請求項１８】
前記第２電極は、前記厚さ方向に貫通する第２貫通孔を有する、請求項５ないし１１のいずれかに記載のＬＥＤモジュール。
【請求項１９】
前記第２電極は、前記第２貫通孔の前記第２表面側に位置する内周縁から内方に突出するひさし部を有する、請求項１８に記載のＬＥＤモジュール。
【請求項２０】
前記第２貫通孔は、前記厚さ方向視において、前記ケースの前記側壁部と重なる、請求項１８または１９に記載のＬＥＤモジュール。
【請求項２１】
前記第２貫通孔は、前記厚さ方向視において、前記側壁部の内方に位置する、請求項２０に記載のＬＥＤモジュール。
【請求項２２】
前記第２貫通孔は、前記厚さ方向視において、前記側壁部の外方に位置する、請求項２０または２１に記載のＬＥＤモジュール。
【請求項２３】
前記第２貫通孔は、楕円形状である、請求項１８ないし２２のいずれかに記載のＬＥＤモジュール。
【発明の詳細な説明】
【技術分野】
【０００１】
本発明は、ＬＥＤモジュールに関する。
【背景技術】
【０００２】
ＬＥＤチップを備えるＬＥＤモジュールは、電子機器の光源となるモジュールとして広く用いられている。特許文献１には、従来のＬＥＤモジュールの一例が開示されている。このＬＥＤモジュールは、２つのリード、ＬＥＤチップ、ケースおよび封止樹脂を備えている。２つのリードは、金属板などに対してプレス加工などを施すことによって形成される。ＬＥＤチップは、２つのリードの一方に搭載されており、ワイヤを介して他方のリードに接続されている。ケースは、たとえば白色樹脂製であり、ＬＥＤチップを囲むとともに、２つのリードの一部ずつを覆っている。封止樹脂は、ケースによって囲まれた空間に充填されており、ＬＥＤチップおよびワイヤを保護している。
【０００３】
電子機器の小型化および構成部品の高密度化に伴い、ＬＥＤモジュールに対して小型化の要請が強くなっている。ＬＥＤモジュールを小型化するほど、リードとケースとの接触面積が小さくなる。ＬＥＤモジュールの使用に伴う発熱の繰り返しや、電子機器の製造におけるＬＥＤモジュールの実装工程での熱および力の負荷などによって、リードがケースから剥離するおそれがある。これは、ＬＥＤモジュールの小型化を阻害する要因の一つとなっている。
【先行技術文献】
【特許文献】
【０００４】
【特許文献１】特開２０１２−２４４０８６号公報
【発明の概要】
【発明が解決しようとする課題】
【０００５】
本発明は、先述した事情のもとで考え出されたものであって、小型化を図ることが可能なＬＥＤモジュールを提供することをその課題とする。
【課題を解決するための手段】
【０００６】
本発明によって提供されるＬＥＤモジュールは、厚さ方向を向く第１表面を有する第１電極と、前記第１電極の前記第１表面に搭載されたＬＥＤチップと、前記第１電極の一部を覆い、かつ前記ＬＥＤチップを囲む側壁部を有するケースと、を備え、前記ケースは、前記第１電極の前記第１表面の一部を覆い、かつ前記厚さ方向の両側から前記第１電極の角を挟み込む第１保持部を有しており、前記第１保持部には、前記第１電極の厚さ方向視において前記側壁部から突出する第１凸部が形成されていることを特徴としている。
【０００７】
本発明の実施において好ましくは、前記第１保持部が、円柱状である。
【０００８】
本発明の実施において好ましくは、前記第１凸部が、前記厚さ方向視において前記側壁部から内側に突出している。
【０００９】
本発明の実施において好ましくは、前記第１保持部および前記側壁部は、前記第１電極の前記第１表面と同方向を向き、かつ互いに面一である面を有する。
【００１０】
本発明の実施において好ましくは、前記側壁部が前記厚さ方向視において矩形状であり、前記第１保持部は、前記側壁部の隅部に位置する。
【００１１】
本発明の実施において好ましくは、前記第１電極と離間しており、かつ前記第１電極の前記第１表面と同方向を向く第２表面を有し、当該第２表面に接続されたワイヤを介して前記ＬＥＤチップに接続された第２電極をさらに備え、前記ケースは、前記第２電極の前記第２表面の一部を覆い、かつ前記厚さ方向の両側から前記第２電極の角を挟み込む第２保持部を有しており、前記第２保持部には、前記厚さ方向視において前記側壁部から突出する第２凸部が形成されている。
【００１２】
本発明の実施において好ましくは、前記第２保持部が、円柱状である。
【００１３】
本発明の実施において好ましくは、前記第２凸部が、前記厚さ方向視において前記側壁部から内側に突出している。
【００１４】
本発明の実施において好ましくは、前記第２保持部および前記側壁部は、前記第１電極の前記第１表面と同方向を向き、かつ互いに面一である面を有する。
【００１５】
本発明の実施において好ましくは、前記側壁部が前記厚さ方向視において矩形状であり、前記第２保持部は、前記側壁部の隅部に位置する。
【００１６】
本発明の実施において好ましくは、前記ケースには、２つの前記第１保持部と、１つのみの前記第２保持部とが形成されている。
【００１７】
本発明の実施において好ましくは、前記ケースには、１つのみの前記第１保持部と、２つの前記第２保持部とが形成されている。
【００１８】
本発明の実施において好ましくは、前記ケースには、２つの前記第１保持部と、２つの前記第２保持部とが形成されている。
【００１９】
本発明の実施において好ましくは、前記第１電極は、前記厚さ方向に貫通する第１貫通孔を有する。
【００２０】
本発明の実施において好ましくは、前記第１電極は、前記第１貫通孔の前記第１表面側に位置する内周縁から内方に突出するひさし部を有する。
【００２１】
本発明の実施において好ましくは、前記第１貫通孔は、前記厚さ方向視において、前記ケースの前記側壁部と重なる。
【００２２】
本発明の実施において好ましくは、前記第１貫通孔は、前記厚さ方向視において、前記側壁部の内方に位置する。
【００２３】
本発明の実施において好ましくは、前記第１貫通孔は、前記厚さ方向視において、前記側壁部の外方に位置する。
【００２４】
本発明の実施において好ましくは、前記第１貫通孔は、楕円形状である。
【００２５】
本発明の実施において好ましくは、前記第２電極は、前記厚さ方向に貫通する第２貫通孔を有する。
【００２６】
本発明の実施において好ましくは、前記第２電極は、前記第２貫通孔の前記第２表面側に位置する内周縁から内方に突出するひさし部を有する。
【００２７】
本発明の実施において好ましくは、前記第２貫通孔は、前記厚さ方向視において、前記ケースの前記側壁部と重なる。
【００２８】
本発明の実施において好ましくは、前記第２貫通孔は、前記厚さ方向視において、前記側壁部の内方に位置する。
【００２９】
本発明の実施において好ましくは、前記第２貫通孔は、前記厚さ方向視において、前記側壁部の外方に位置する。
【００３０】
本発明の実施において好ましくは、前記第２貫通孔は、楕円形状である。
【発明の効果】
【００３１】
本発明に係るＬＥＤモジュールによれば、第１保持部が第１電極の表面の一部を覆い、かつ厚さ方向の両側から第１電極の角を挟み込むことによって、第１電極が第１保持部に保持された構成となっている。あわせて、第１保持部には、第１電極の厚さ方向視において側壁部から突出する第１凸部が形成されているため、挟み込まれた第１電極に対する第１保持部の接触面積と、厚さ方向に直交する第１保持部の断面積とが十分に確保された構成となっている。これにより、ケースから第１電極が剥離することが全方向において抑止されるため、ＬＥＤモジュールの小型化を図ることができる。
【００３２】
本発明のその他の特徴および利点は、添付図面を参照して以下に行う詳細な説明によって、より明らかとなろう。
【図面の簡単な説明】
【００３３】
【図１】本発明の第１実施形態に基づくＬＥＤモジュールを示す要部斜視図である。
【図２】図１のＬＥＤモジュールを示す要部平面図である。
【図３】図２のＩＩＩ−ＩＩＩ線に沿う断面図である。
【図４】図２のＩＶ−ＩＶ線に沿う断面図である。
【図５】図２のＶ−Ｖ線に沿う断面図である。
【図６】図２のＶＩ−ＶＩ線に沿う断面図である。
【図７】本発明の第２実施形態に基づくＬＥＤモジュールを示す要部平面図である。
【図８】本発明の第３実施形態に基づくＬＥＤモジュールを示す要部平面図である。
【図９】本発明の第４実施形態に基づくＬＥＤモジュールを示す要部平面図である。
【図１０】本発明の第５実施形態に基づくＬＥＤモジュールを示す要部平面図である。
【図１１】図１０のＸＩ−ＸＩ線に沿う断面図である。
【図１２】本発明の第６実施形態に基づくＬＥＤモジュールを示す要部斜視図である。
【図１３】本発明の第７実施形態に基づくＬＥＤモジュールを示す要部平面図である。
【図１４】図１３のＸＩＶ−ＸＩＶ線に沿う断面図である。
【図１５】本発明の第８実施形態に基づくＬＥＤモジュールを示す要部平面図である。
【図１６】本発明の第９実施形態に基づくＬＥＤモジュールを示す断面図である。
【発明を実施するための形態】
【００３４】
以下、本発明の好ましい実施形態につき、図面を参照して具体的に説明する。
【００３５】
図１〜図６は、本発明の第１実施形態に基づくＬＥＤモジュールを示している。本実施形態のＬＥＤモジュールＡ１は、第１リード１Ａ、第２リード１Ｂ、ＬＥＤチップ２、ワイヤ３、ケース４および封止樹脂５を備えている。ＬＥＤモジュールＡ１は、たとえばｘ方向寸法が１．６ｍｍ程度、ｙ方向寸法が０．８ｍｍ程度の極小サイズのＬＥＤモジュールである。
【００３６】
図１は、ＬＥＤモジュールＡ１の要部斜視図であり、図２は、要部平面図である。図３は、図２のＩＩＩ−ＩＩＩ線に沿うｚｘ平面における断面図である。図４は、図２のＩＶ−ＩＶ線に沿うｚｘ平面における断面図である。図５は、図２のＶ−Ｖ線に沿うｚｘ平面における断面図である。図６は、図２のＶＩ−ＶＩ線に沿うｙｚ平面における断面図である。なお、図１および図２においては、理解の便宜上、封止樹脂５を省略している。
【００３７】
第１リード１Ａは、Ｃｕ，Ｎｉあるいはこれらの合金などの金属からなり、表面１１Ａ、裏面１２Ａ、突出部１３Ａ、ひさし部１４Ａおよび第１薄肉延出部１５Ａを有している。本実施形態においては、第１リード１Ａは、ｚ方向視において略矩形状である。
【００３８】
表面１１Ａは、図中ｚ方向上方を向いている。裏面１２Ａは、図中ｚ方向下方を向いている。すなわち、表面１１Ａと裏面１２Ａとは、互いに反対側を向いている。表面１１Ａは、ＬＥＤチップ２の搭載に用いられる。裏面１２Ａは、ＬＥＤモジュールＡ１をたとえば電子機器などに実装するために用いられる。
【００３９】
突出部１３Ａは、ｘ方向右方に突出しており、本実施形態においては、断面矩形状の棒状部分である。突出部１３Ａは、たとえばＬＥＤモジュールＡ１を実装する際に、はんだフィレットの形成を促進するための部位として機能する。
【００４０】
ひさし部１４Ａは、ｘ方向左方に向かって突出した部位である。図１および図３に示すように、ひさし部１４Ａは、これに隣接する部位よりも厚さが薄い。ひさし部１４Ａは、表面１１Ａの一部を有するものの、裏面１２Ａを有しておらず、裏面１２Ａからｚ方向上方に沈降した位置にある面を有している。
【００４１】
第１薄肉延出部１５Ａは、本実施形態においては、ｙ方向両側およびｘ方向右方に延出している。第１薄肉延出部１５Ａは、天面１５１Ａおよび底面１５２Ａを有している。天面１５１Ａは、表面１１Ａと同様にｚ方向上方を向いており、本実施形態においては、表面１１Ａと面一とされている。底面１５２Ａは、裏面１２Ａと同様にｚ方向下方を向いており、裏面１２Ａからｚ方向上方に沈降している。第１薄肉延出部１５Ａは、これに隣接する部位よりも厚さが薄い。
【００４２】
第１薄肉延出部１５Ａのうちｙ方向両側に延出する部分は、第１リード１Ａのうちｘ方向に平行な２辺に沿って設けられている。第１薄肉延出部１５Ａのうちｘ方向右方に延出する部分は、第１リード１Ａのうちｙ方向に平行な１辺に沿って設けられており、突出部１３Ａをｙ方向において挟んでいる。
【００４３】
第２リード１Ｂは、Ｃｕ，Ｎｉあるいはこれらの合金などの金属からなり、表面１１Ｂ、裏面１２Ｂ、突出部１３Ｂ、ひさし部１４Ｂおよび第２薄肉延出部１５Ｂを有している。本実施形態においては、第２リード１Ｂは、ｚ方向視において略矩形状である。
【００４４】
表面１１Ｂは、図中ｚ方向上方を向いている。裏面１２Ｂは、図中ｚ方向下方を向いている。すなわち、表面１１Ｂと裏面１２Ｂとは、互いに反対側を向いている。表面１１Ｂは、ワイヤ３のボンディングに用いられる。裏面１２Ｂは、ＬＥＤモジュールＡ１をたとえば電子機器などに実装するために用いられる。
【００４５】
突出部１３Ｂは、ｘ方向左方に突出しており、本実施形態においては、断面矩形状の棒状部分である。突出部１３Ｂは、たとえばＬＥＤモジュールＡ１を実装する際に、はんだフィレットの形成を促進するための部位として機能する。
【００４６】
ひさし部１４Ｂは、ｘ方向右方に向かって突出した部位である。図１および図３に示すように、ひさし部１４Ｂは、これに隣接する部位よりも厚さが薄い。ひさし部１４Ｂは、表面１１Ｂの一部を有するものの、裏面１２Ｂを有しておらず、裏面１２Ｂからｚ方向上方に沈降した位置にある面を有している。
【００４７】
第２薄肉延出部１５Ｂは、本実施形態においては、ｙ方向両側およびｘ方向左方に延出している。第２薄肉延出部１５Ｂは、天面１５１Ｂおよび底面１５２Ｂを有している。天面１５１Ｂは、表面１１Ｂと同様にｚ方向上方を向いており、本実施形態においては、表面１１Ｂと面一とされている。底面１５２Ｂは、裏面１２Ｂと同様にｚ方向下方を向いており、裏面１２Ｂからｚ方向上方に沈降している。第２薄肉延出部１５Ｂは、これに隣接する部位よりも厚さが薄い。
【００４８】
第２薄肉延出部１５Ｂのうちｙ方向両側に延出する部分は、第２リード１Ｂのうちｘ方向に平行な２辺に沿って設けられている。第２薄肉延出部１５Ｂのうちｘ方向左方に延出する部分は、第２リード１Ｂのうちｙ方向に平行な１辺に沿って設けられており、突出部１３Ｂをｙ方向において挟んでいる。
【００４９】
ＬＥＤチップ２は、ＬＥＤモジュールＡ１の発光部であり、本実施形態においては、いわゆる１ワイヤタイプのＬＥＤチップとして構成されている。ｚ方向上面および下面に電極がそれぞれ形成されている。上面の電極には、ワイヤ３がボンディングされている。下面の電極は、導電性接合材を介して第１リード１Ａの表面１１Ａに接合されている。ＬＥＤチップ２は、複数の半導体層が積層された構造を有しており、これらの半導体層の材質などによって、青色光、赤色光、緑色光などを適宜発する。
【００５０】
ケース４は、たとえば白色のエポキシ樹脂あるいはシリコーン樹脂からなり、第１リード１Ａおよび第２リード１Ｂの一部ずつを覆うとともに、ＬＥＤチップ２を囲んでいる。ケース４は、側壁部４１、第１保持部４３Ａおよび第２保持部４３Ｂを有している。
【００５１】
側壁部４１は、ＬＥＤチップ２を囲む環状とされており、本実施形態においては、ｚ方向視においてｘ方向を長手方向とする長矩形状とされている。側壁部４１は、内側面４２を有している。内側面４２は、互いに向かい合う２対の面からなる。本実施形態においては、ｘ方向において第１リード１Ａの表面１１Ａおよび第２リード１Ｂの表面１１Ｂからｚ方向において離間するほど、内側面４２のうち互いに向かい合う面どうしの距離が大となるように傾斜している。
【００５２】
側壁部４１によって囲まれた空間には、第１リード１Ａの表面１１Ａの一部と、第２リード１Ｂの表面１１Ｂの一部とが露出している。また、ケース４は、第１リード１Ａの裏面１２Ａのすべてと、第２リード１Ｂの裏面１２Ｂのすべてとを露出させている。また、ケース４からは、第１リード１Ａの突出部１３Ａと第２リード１Ｂの突出部１３Ｂとが突出している。ケース４は、ひさし部１４Ａとひさし部１４Ｂとのｚ方向下面およびｘ方向を向く端面を覆っている。
【００５３】
第１保持部４３Ａは、ケース４の一部が膨出することにより構成されており、本実施形態においては、ｚ方向を中心軸方向とする円柱形状とされている。第１保持部４３Ａは、矩形状とされた側壁部４１の四つの隅部のうち図２におけるｘ方向右方かつｙ方向下方に位置する隅部に設けられている。
【００５４】
第１保持部４３Ａは、その一部が側壁部４１の内側に位置している。また、第１保持部４３Ａは、その一部が側壁部４１の外側に位置している。第１保持部４３Ａのｚ方向上面は、側壁部４１のｚ方向上面と面一である。
【００５５】
第１保持部４３Ａは、第１薄肉延出部１５Ａのうち図２におけるｘ方向右方に延出する部分の一部と、ｙ方向下方に延出する部分の一部とを覆っている。すなわち、第１保持部４３Ａは、第１薄肉延出部１５Ａのこれらの部分の天面１５１Ａおよび底面１５２Ａを覆っている。またさらに、第１保持部４３Ａは、第１薄肉延出部１５Ａの一部の先端を覆っている。
【００５６】
第２保持部４３Ｂは、ケース４の一部が膨出することにより構成されており、本実施形態においては、ｚ方向を中心軸方向とする円柱形状とされている。第２保持部４３Ｂは、矩形状とされた側壁部４１の四つの隅部のうち図２におけるｘ方向左方かつｙ方向上方に位置する隅部に設けられている。
【００５７】
第２保持部４３Ｂは、その一部が側壁部４１の内側に位置している。また、第２保持部４３Ｂは、その一部が側壁部４１の外側に位置している。第２保持部４３Ｂのｚ方向上面は、側壁部４１のｚ方向上面と面一である。
【００５８】
第２保持部４３Ｂは、第２薄肉延出部１５Ｂのうち図２におけるｘ方向左方に延出する部分の一部と、ｙ方向上方に延出する部分の一部とを覆っている。すなわち、第２保持部４３Ｂは、第２薄肉延出部１５Ｂのこれらの部分の天面１５１Ｂおよび底面１５２Ｂを覆っている。またさらに、第２保持部４３Ｂは、第２薄肉延出部１５Ｂの一部の先端を覆っている。
【００５９】
封止樹脂５は、ＬＥＤチップ２からの光を透過させるエポキシ樹脂あるいはシリコーン樹脂からなる。封止樹脂５は、ケース４の側壁部４１によって囲まれた空間に充填されており、ＬＥＤチップ２およびワイヤ３を覆っている。封止樹脂５は、透明であってもよいし、ＬＥＤチップ２からの光によって励起されることにより、異なる光を発する蛍光材料が混入されたものでもよい。
【００６０】
次に、ＬＥＤモジュールＡ１の作用について説明する。
【００６１】
本実施形態によれば、第１保持部４３Ａが第１薄肉延出部１５Ａの天面１５１Ａと底面１５２Ａとを覆うことにより、第１リード１Ａが第１保持部４３Ａに保持された構造となっている。これにより、ケース４から第１リード１Ａが剥離することを抑制可能であり、ＬＥＤモジュールＡ１の小型化を図ることができる。
【００６２】
第１保持部４３Ａが、第１薄肉延出部１５Ａの一部の先端を覆っていることにより、第１薄肉延出部１５Ａの一部がｚ方向上下方向およびｘ方向あるいはｙ方向から第１保持部４３Ａによって囲まれた格好となっている。これは、第１リード１Ａの剥離抑制に好ましい。
【００６３】
第１保持部４３Ａが、円柱状であり、また、第１保持部４３Ａのｚ方向上面が側壁部４１のｚ方向上面と面一であることにより、ケース４を金型成型する際に、これらのｚ方向上面をいわゆるエジェクターピンを当接させる部位として用いることができる。
【００６４】
第１保持部４３Ａの一部が、側壁部４１よりも内側および外側に位置することにより、先述のエジェクターピンを当接させる面積を適切に確保することができる。
【００６５】
側壁部４１がｚ方向視において矩形状であり、第１保持部４３Ａが、側壁部４１の隅部に位置することにより、第１保持部４３ＡとＬＥＤチップ２との干渉を回避しつつ、第１保持部４３Ａの体積を比較的大とすることができる。これは、第１リード１Ａの剥離抑制に有利である。
【００６６】
また、第２保持部４３Ｂが第２薄肉延出部１５Ｂの天面１５１Ｂと底面１５２Ｂとを覆うことにより、第２リード１Ｂが第２保持部４３Ｂに保持された構造となっている。これにより、ケース４から第２リード１Ｂが剥離することを抑制可能であり、ＬＥＤモジュールＡ１の小型化を図ることができる。
【００６７】
第２保持部４３Ｂが、第２薄肉延出部１５Ｂの一部の先端を覆っていることにより、第２薄肉延出部１５Ｂの一部がｚ方向上下方向およびｘ方向あるいはｙ方向から第２保持部４３Ｂによって囲まれた格好となっている。これは、第２リード１Ｂの剥離抑制に好ましい。
【００６８】
第２保持部４３Ｂが、円柱状であり、また、第２保持部４３Ｂのｚ方向上面が側壁部４１のｚ方向上面と面一であることにより、ケース４を金型成型する際に、これらのｚ方向上面をいわゆるエジェクターピンを当接させる部位として用いることができる。
【００６９】
第２保持部４３Ｂの一部が、側壁部４１よりも内側および外側に位置することにより、先述のエジェクターピンを当接させる面積を適切に確保することができる。
【００７０】
側壁部４１がｚ方向視において矩形状であり、第２保持部４３Ｂが、側壁部４１の隅部に位置することにより、ワイヤ３をボンディングするためのキャピラリと第２保持部４３Ｂとの干渉を回避しつつ、第２保持部４３Ｂの体積を比較的大とすることができる。これは、第２リード１Ｂの剥離抑制に有利である。
【００７１】
図７〜図１６は、本発明の他の実施形態を示している。なお、これらの図において、先述の実施形態と同一または類似の要素には、先述の実施形態と同一の符号を付している。
【００７２】
図７は、本発明の第２実施形態に基づくＬＥＤモジュールを示している。本実施形態のＬＥＤモジュールＡ２は、ケース４に２つの第１保持部４３Ａと１つのみの第２保持部４３Ｂとが形成されている。図７は、ＬＥＤモジュールＡ２の要部平面図であり、封止樹脂５を省略している。
【００７３】
２つの第１保持部４３Ａは、ケース４の側壁部４１の４つの隅部のうち、ｘ方向右方に位置する２つの隅部に形成されている。２つの第１保持部４３Ａは、ｚ方向を中心軸方向とする円柱形状とされている。
【００７４】
２つの第１保持部４３Ａは、その一部ずつが側壁部４１の内側に位置している。また、２つの第１保持部４３Ａは、その一部ずつが側壁部４１の外側に位置している。２つの第１保持部４３Ａのｚ方向上面は、側壁部４１のｚ方向上面と面一である。
【００７５】
２つの第１保持部４３Ａは、第１薄肉延出部１５Ａのうちｘ方向右方に延出する部分の一部と、ｙ方向両側に延出する部分の一部とを覆っている。すなわち、第１保持部４３Ａは、第１薄肉延出部１５Ａのこれらの部分の天面１５１Ａおよび底面１５２Ａを覆っている。またさらに、第１保持部４３Ａは、第１薄肉延出部１５Ａの一部の先端を覆っている。
【００７６】
１つの第２保持部４３Ｂは、ケース４の側壁部４１の４つの隅部のうち、ｘ方向左方かつｙ方向上方に位置する隅部に設けられている。第２保持部４３Ｂは、ｚ方向を中心軸方向とする円柱形状とされている。
【００７７】
第２保持部４３Ｂは、その一部が側壁部４１の内側に位置している。また、第２保持部４３Ｂは、その一部が側壁部４１の外側に位置している。第２保持部４３Ｂのｚ方向上面は、側壁部４１のｚ方向上面と面一である。
【００７８】
第２保持部４３Ｂは、第２薄肉延出部１５Ｂのうちｘ方向左方に延出する部分の一部と、ｙ方向上方に延出する部分の一部とを覆っている。すなわち、第２保持部４３Ｂは、第２薄肉延出部１５Ｂのこれらの部分の天面１５１Ｂおよび底面１５２Ｂを覆っている。またさらに、第２保持部４３Ｂは、第２薄肉延出部１５Ｂの一部の先端を覆っている。
【００７９】
このような実施形態によっても、ケース４から第１リード１Ａおよび第２リード１Ｂが剥離することを抑制可能であり、ＬＥＤモジュールＡ２の小型化を図ることができる。
【００８０】
２つの第１保持部４３Ａを備えることにより、第１リード１Ａの剥離防止効果をより高めることができる。２つの第１保持部４３Ａを側壁部４１の２つの隅部に配置することにより、２つの第１保持部４３ＡとＬＥＤチップ２との干渉を回避することができる。
【００８１】
図８は、本発明の第３実施形態に基づくＬＥＤモジュールを示している。本実施形態のＬＥＤモジュールＡ３は、ケース４に１つのみの第１保持部４３Ａと２つの第２保持部４３Ｂとが形成されている。図８は、ＬＥＤモジュールＡ３の要部平面図であり、封止樹脂５を省略している。
【００８２】
第１保持部４３Ａは、ケース４の側壁部４１の４つの隅部のうち、ｘ方向右方かつｙ方向下方に位置する隅部に設けられている。第１保持部４３Ａは、ｚ方向を中心軸方向とする円柱形状とされている。
【００８３】
第１保持部４３Ａは、その一部が側壁部４１の内側に位置している。また、第１保持部４３Ａは、その一部が側壁部４１の外側に位置している。第１保持部４３Ａのｚ方向上面は、側壁部４１のｚ方向上面と面一である。
【００８４】
第１保持部４３Ａは、第１薄肉延出部１５Ａのうちｘ方向右方に延出する部分の一部と、ｙ方向下方に延出する部分の一部とを覆っている。すなわち、第１保持部４３Ａは、第１薄肉延出部１５Ａのこれらの部分の天面１５１Ａおよび底面１５２Ａを覆っている。またさらに、第１保持部４３Ａは、第１薄肉延出部１５Ａの一部の先端を覆っている。
【００８５】
２つの第２保持部４３Ｂは、ケース４の側壁部４１の４つの隅部のうち、ｘ方向左方に位置する２つの隅部に形成されている。２つの第２保持部４３Ｂは、ｚ方向を中心軸方向とする円柱形状とされている。
【００８６】
２つの第２保持部４３Ｂは、その一部ずつが側壁部４１の内側に位置している。また、２つの第２保持部４３Ｂは、その一部ずつが側壁部４１の外側に位置している。２つの第２保持部４３Ｂのｚ方向上面は、側壁部４１のｚ方向上面と面一である。
【００８７】
２つの第２保持部４３Ｂは、第２薄肉延出部１５Ｂのうちｘ方向左方に延出する部分の一部と、ｙ方向両側に延出する部分の一部とを覆っている。すなわち、第２保持部４３Ｂは、第２薄肉延出部１５Ｂのこれらの部分の天面１５１Ｂおよび底面１５２Ｂを覆っている。またさらに、第２保持部４３Ｂは、第２薄肉延出部１５Ｂの一部の先端を覆っている。
【００８８】
このような実施形態によっても、ケース４から第１リード１Ａおよび第２リード１Ｂが剥離することを抑制可能であり、ＬＥＤモジュールＡ３の小型化を図ることができる。
【００８９】
２つの第２保持部４３Ｂを備えることにより、第２リード１Ｂの剥離防止効果をより高めることができる。２つの第２保持部４３Ｂを側壁部４１の２つの隅部に配置することにより、２つの第２保持部４３Ｂと先述のキャピラリとの干渉を回避することができる。
【００９０】
図９は、本発明の第４実施形態に基づくＬＥＤモジュールを示している。本実施形態のＬＥＤモジュールＡ４は、ケース４に２つの第１保持部４３Ａと２つの第２保持部４３Ｂとが形成されている。図９は、ＬＥＤモジュールＡ４の要部平面図であり、封止樹脂５を省略している。
【００９１】
２つの第１保持部４３Ａは、ケース４の側壁部４１の４つの隅部のうち、ｘ方向右方に位置する２つの隅部に形成されている。２つの第１保持部４３Ａは、ｚ方向を中心軸方向とする円柱形状とされている。
【００９２】
２つの第１保持部４３Ａは、その一部ずつが側壁部４１の内側に位置している。また、２つの第１保持部４３Ａは、その一部ずつが側壁部４１の外側に位置している。２つの第１保持部４３Ａのｚ方向上面は、側壁部４１のｚ方向上面と面一である。
【００９３】
２つの第１保持部４３Ａは、第１薄肉延出部１５Ａのうちｘ方向右方に延出する部分の一部と、ｙ方向両側に延出する部分の一部とを覆っている。すなわち、第１保持部４３Ａは、第１薄肉延出部１５Ａのこれらの部分の天面１５１Ａおよび底面１５２Ａを覆っている。またさらに、第１保持部４３Ａは、第１薄肉延出部１５Ａの一部の先端を覆っている。
【００９４】
２つの第２保持部４３Ｂは、ケース４の側壁部４１の４つの隅部のうち、ｘ方向左方に位置する２つの隅部に形成されている。２つの第２保持部４３Ｂは、ｚ方向を中心軸方向とする円柱形状とされている。
【００９５】
２つの第２保持部４３Ｂは、その一部ずつが側壁部４１の内側に位置している。また、２つの第２保持部４３Ｂは、その一部ずつが側壁部４１の外側に位置している。２つの第２保持部４３Ｂのｚ方向上面は、側壁部４１のｚ方向上面と面一である。
【００９６】
２つの第２保持部４３Ｂは、第２薄肉延出部１５Ｂのうちｘ方向左方に延出する部分の一部と、ｙ方向両側に延出する部分の一部とを覆っている。すなわち、第２保持部４３Ｂは、第２薄肉延出部１５Ｂのこれらの部分の天面１５１Ｂおよび底面１５２Ｂを覆っている。またさらに、第２保持部４３Ｂは、第２薄肉延出部１５Ｂの一部の先端を覆っている。
【００９７】
このような実施形態によっても、ケース４から第１リード１Ａおよび第２リード１Ｂが剥離することを抑制可能であり、ＬＥＤモジュールＡ４の小型化を図ることができる。
【００９８】
２つの第１保持部４３Ａを備えることにより、第１リード１Ａの剥離防止効果をより高めることができる。２つの第１保持部４３Ａを側壁部４１の２つの隅部に配置することにより、２つの第１保持部４３ＡとＬＥＤチップ２との干渉を回避することができる。
【００９９】
２つの第２保持部４３Ｂを備えることにより、第２リード１Ｂの剥離防止効果をより高めることができる。２つの第２保持部４３Ｂを側壁部４１の２つの隅部に配置することにより、２つの第２保持部４３Ｂと先述のキャピラリとの干渉を回避することができる。
【０１００】
図１０および図１１は、本発明の第５実施形態に基づくＬＥＤモジュールを示している。本実施形態のＬＥＤモジュールＡ５は、ケース４に１つの第１保持部４３Ａと１つの第２保持部４３Ｂとが形成されている。図１０は、ＬＥＤモジュールＡ５の要部平面図であり、封止樹脂５を省略している。
【０１０１】
第１保持部４３Ａは、本実施形態においては、ｚ方向視円形であり、ｚ方向下方部分がｚ方向を中心軸方向とする円柱形状とされている。第１保持部４３Ａは、矩形状とされた側壁部４１の四つの隅部のうち図１０におけるｘ方向右方かつｙ方向下方に位置する隅部に設けられている。
【０１０２】
第１保持部４３Ａは、その一部が側壁部４１の内側に位置している。図１１に示すように、第１保持部４３Ａのうち側壁部４１の内側にある部分のｚ方向上面は、側壁部４１のｚ方向上面と面一である。また、第１保持部４３Ａは、その一部が側壁部４１の外側に位置している。第１保持部４３Ａのうち側壁部４１の外側にある部分のｚ方向上面は、第１保持部４３Ａのｚ方向上面よりもｚ方向下方、すなわち裏面１２Ａ側に位置しており、互いに面一とはなっていない。
【０１０３】
第１保持部４３Ａは、第１薄肉延出部１５Ａのうち図１０におけるｘ方向右方に延出する部分の一部と、ｙ方向下方に延出する部分の一部とを覆っている。すなわち、第１保持部４３Ａは、第１薄肉延出部１５Ａのこれらの部分の天面１５１Ａおよび底面１５２Ａを覆っている。またさらに、第１保持部４３Ａは、第１薄肉延出部１５Ａの一部の先端を覆っている。
【０１０４】
第２保持部４３Ｂは、本実施形態においては、ｚ方向視円形であり、ｚ方向下方部分がｚ方向を中心軸方向とする円柱形状とされている。第２保持部４３Ｂは、矩形状とされた側壁部４１の四つの隅部のうち図１０におけるｘ方向左方かつｙ方向上方に位置する隅部に設けられている。
【０１０５】
第２保持部４３Ｂは、その一部が側壁部４１の内側に位置している。第２保持部４３Ｂのうち側壁部４１の内側にある部分のｚ方向上面は、側壁部４１のｚ方向上面と面一である。また、第２保持部４３Ｂは、その一部が側壁部４１の外側に位置している。第２保持部４３Ｂのうち側壁部４１の外側にある部分のｚ方向上面は、第２保持部４３Ｂのｚ方向上面よりもｚ方向下方、すなわち裏面１２Ｂ側に位置しており、互いに面一とはなっていない。この点については、先述した第１保持部４３Ａと同様の構成である。
【０１０６】
第２保持部４３Ｂは、第２薄肉延出部１５Ｂのうち図２におけるｘ方向左方に延出する部分の一部と、ｙ方向上方に延出する部分の一部とを覆っている。すなわち、第２保持部４３Ｂは、第２薄肉延出部１５Ｂのこれらの部分の天面１５１Ｂおよび底面１５２Ｂを覆っている。またさらに、第２保持部４３Ｂは、第２薄肉延出部１５Ｂの一部の先端を覆っている。
【０１０７】
このような実施形態によっても、ケース４から第１リード１Ａおよび第２リード１Ｂが剥離することを抑制可能であり、ＬＥＤモジュールＡ５の小型化を図ることができる。
【０１０８】
図１２は、本発明の第６実施形態に基づくＬＥＤモジュールを示している。本実施形態のＬＥＤモジュールＡ６は、第１リード１Ａの第１薄肉延出部１５Ａおよび第２リード１Ｂの第２薄肉延出部１５Ｂの構成が異なっている以外は、先述したＬＥＤモジュールＡ１と同様の構成である。図１２は、ＬＥＤモジュールＡ６の斜視図であり、理解の便宜上、封止樹脂５を省略している。
【０１０９】
本実施形態においては、第１リード１Ａの第１薄肉延出部１５Ａは、ｙ方向両側に延出する部分のみを有しており、ｘ方向に延出する部分を有していない。また、第２リード１Ｂの第２薄肉延出部１５Ｂは、ｙ方向両側に延出する部分のみを有しており、ｘ方向に延出する部分を有していない。
【０１１０】
このような実施形態によっても、ケース４から第１リード１Ａおよび第２リード１Ｂが剥離することを抑制可能であり、ＬＥＤモジュールＡ６の小型化を図ることができる。
【０１１１】
図１３および図１４は、本発明の第７実施形態に基づくＬＥＤモジュールを示している。本実施形態のＬＥＤモジュールＡ７は、第１リード１Ａおよび第２リード１Ｂの構成が先述した実施形態と異なっている。図１３は、ＬＥＤモジュールＡ７の平面図であり、理解の便宜上、封止樹脂５を省略している。図１４は、図１３のＸＩＶ−ＸＩＶ線に沿うｚｘ平面におけるＬＥＤモジュールＡ７の断面図である。
【０１１２】
本実施形態においては、第１リード１Ａに第１貫通孔１６Ａが形成されている。第１貫通孔１６Ａは、第１リード１Ａを厚さ方向であるｚ方向に貫通している。第１貫通孔１６Ａは、たとえばｚ方向視においてｘ方向を長軸方向とする楕円形状とされている。
【０１１３】
また、第１リード１Ａは、ひさし部１６１Ａを有している。ひさし部１６１Ａは、第１貫通孔１６Ａの表面１１Ａ側に位置する内周縁から内方に突出している。ひさし部１６１Ａの厚さは、第１貫通孔１６Ａの深さよりも小である。
【０１１４】
第１貫通孔１６Ａは、ｚ方向視において、ケース４の側壁部４１と重なっている。さらに、第１貫通孔１６Ａは、ｚ方向視において、側壁部４１の内方に位置する部分を有している。また、第１貫通孔１６Ａは、ｚ方向視において、側壁部４１の外方に位置する部分を有している。第１貫通孔１６Ａの内部には、ケース４の一部が充填されている。
【０１１５】
より詳しくは、第１貫通孔１６Ａの表面１１Ａ側の内周縁は、側壁部４１よりもｘ方向右方にある部分が外部に露出している。一方、第１貫通孔１６Ａの表面１１Ａ側の内周縁のその他の部分は、ケース４に覆われている。
【０１１６】
第２リード１Ｂには、第２貫通孔１６Ｂが形成されている。第２貫通孔１６Ｂは、第２リード１Ｂを厚さ方向であるｚ方向に貫通している。第２貫通孔１６Ｂは、たとえばｚ方向視においてｘ方向を長軸方向とする楕円形状とされている。
【０１１７】
また、第２リード１Ｂは、ひさし部１６１Ｂを有している。ひさし部１６１Ｂは、第２貫通孔１６Ｂの表面１１Ｂ側に位置する内周縁から内方に突出している。ひさし部１６１Ｂの厚さは、第２貫通孔１６Ｂの深さよりも小である。
【０１１８】
第２貫通孔１６Ｂは、ｚ方向視において、ケース４の側壁部４１と重なっている。さらに、第２貫通孔１６Ｂは、ｚ方向視において、側壁部４１の内方に位置する部分を有している。また、第２貫通孔１６Ｂは、ｚ方向視において、側壁部４１の外方に位置する部分を有している。第２貫通孔１６Ｂの内部には、ケース４の一部が充填されている。
【０１１９】
より詳しくは、第２貫通孔１６Ｂの表面１１Ｂ側の内周縁は、側壁部４１よりもｘ方向左方にある部分が外部に露出している。一方、第２貫通孔１６Ｂの表面１１Ｂ側の内周縁のその他の部分は、ケース４に覆われている。
【０１２０】
このような実施形態によっても、ケース４から第１リード１Ａおよび第２リード１Ｂが剥離することを抑制可能であり、ＬＥＤモジュールＡ７の小型化を図ることができる。
【０１２１】
第１リード１Ａに第１貫通孔１６Ａが形成され、第１貫通孔１６Ａの内部にケース４の一部が充填されている。これにより、第１リード１Ａをケース４により強固に結合させることができる。ひさし部１６１Ａが設けられていることにより、第１リード１Ａとケース４とをより強固に結合することができる。
【０１２２】
第１貫通孔１６Ａがｚ方向視においてケース４の側壁部４１と重なる配置であることにより、ケース４のうち第１貫通孔１６Ａの内部に充填された部分は、側壁部４１に繋がる格好となる。これにより、比較的高剛性である側壁部４１によって第１リード１Ａを積極的に保持することが可能であり、第１リード１Ａの剥離抑制効果をより高めることができる。
【０１２３】
第１貫通孔１６Ａが側壁部４１の内方および外方に位置する部分を有する楕円形状であることにより、第１リード１Ａとケース４との接合面積を増大させることが可能である。これは、第１リード１Ａの剥離防止に好ましい。
【０１２４】
第２リード１Ｂに第２貫通孔１６Ｂが形成され、第２貫通孔１６Ｂの内部にケース４の一部が充填されている。これにより、第２リード１Ｂをケース４により強固に結合させることができる。ひさし部１６１Ｂが設けられていることにより、第２リード１Ｂとケース４とをより強固に結合することができる。
【０１２５】
第２貫通孔１６Ｂがｚ方向視においてケース４の側壁部４１と重なる配置であることにより、ケース４のうち第２貫通孔１６Ｂの内部に充填された部分は、側壁部４１に繋がる格好となる。これにより、比較的高剛性である側壁部４１によって第２リード１Ｂを積極的に保持することが可能であり、第２リード１Ｂの剥離抑制効果をより高めることができる。
【０１２６】
第２貫通孔１６Ｂが側壁部４１の内方および外方に位置する部分を有する楕円形状であることにより、第２リード１Ｂとケース４との接合面積を増大させることが可能である。これは、第２リード１Ｂの剥離防止に好ましい。
【０１２７】
図１５は、本発明の第８実施形態に基づくＬＥＤモジュールを示している。本実施形態のＬＥＤモジュールＡ８は、第１貫通孔１６Ａおよび第２貫通孔１６Ｂの個数がＬＥＤモジュールＡ７と異なっている。図１５は、ＬＥＤモジュールＡ８を示す平面図であり、封止樹脂５を省略している。
【０１２８】
本実施形態においては、第１リード１Ａには、２つの第１貫通孔１６Ａが形成されている。２つの第１貫通孔１６Ａは、いずれもｘ方向を長軸方向とする楕円形状であり、ｙ方向に並んで配置されている。また、第２リード１Ｂには、２つの第２貫通孔１６Ｂが形成されている。２つの第２貫通孔１６Ｂは、いずれもｘ方向を長軸方向とする楕円形状であり、ｙ方向に並んで配置されている。
【０１２９】
このような実施形態によっても、ケース４から第１リード１Ａおよび第２リード１Ｂが剥離することを抑制可能であり、ＬＥＤモジュールＡ８の小型化を図ることができる。また、第１貫通孔１６Ａおよび第２貫通孔１６Ｂの個数を増やすことにより、第１リード１Ａおよび第２リード１Ｂの剥離をより好適に抑制することができる。
【０１３０】
図１６は、本発明の第９実施形態に基づくＬＥＤモジュールを示している。同図は、図１３のＸＩＶ−ＸＩＶ線に沿うｚｘ断面に相当する断面における断面図である。
【０１３１】
本実施形態のＬＥＤモジュールＡ９においては、第１リード１Ａにおいてひさし部１４Ａが傾斜面を有する構成とされている。すなわち、ひさし部１４Ａの当該傾斜面は、表面１１Ａから裏面１２Ａに向かうほどｘ方向右方に位置するように傾斜している。また、第１貫通孔１６Ａのひさし部１６１Ａも傾斜面を有する構成とされている。ひさし部１６１Ａの当該傾斜面は、表面１１Ａから裏面１２Ａに向かうほどｚ方向視寸法が小となるように傾斜している。
【０１３２】
また、第２リード１Ｂにおいてひさし部１４Ｂが傾斜面を有する構成とされている。すなわち、ひさし部１４Ｂの当該傾斜面は、表面１１Ｂから裏面１２Ｂに向かうほどｘ方向左方に位置するように傾斜している。また、第２貫通孔１６Ｂのひさし部１６１Ｂも傾斜面を有する構成とされている。ひさし部１６１Ｂの当該傾斜面は、表面１１Ｂから裏面１２Ｂに向かうほどｚ方向視寸法が小となるように傾斜している。
【０１３３】
側壁部４１は、切り欠き面４２ａを有している。切り欠き面４２ａは、内側面４２のｚ方向上方に位置しており、側壁部４１の全周にわたって設けられている。切り欠き面４２ａは、内側面４２を延長した仮想面よりも凹んだ面とされている。このような切り欠き面４２ａが形成されることにより、側壁部４１のｚ方向上面は、面積が縮小されている。側壁部４１のｚ方向上面の面積が小さいことは、側壁部４１に封止樹脂５が過大に乗り上げてしまうことを抑制できるという利点がある。
【０１３４】
このような実施形態によっても、ケース４から第１リード１Ａおよび第２リード１Ｂが剥離することを抑制可能であり、ＬＥＤモジュールＡ９の小型化を図ることができる。
【０１３５】
なお、ＬＥＤモジュールＡ７〜Ａ９に示した第１貫通孔１６Ａおよび第２貫通孔１６Ｂは、ＬＥＤモジュールＡ１〜Ａ６に適宜組み合わせて用いる事ができる。
【０１３６】
本発明に係るＬＥＤモジュールは、先述した実施形態に限定されるものではない。本発明に係るＬＥＤモジュールの各部の具体的な構成は、種々に設計変更自在である。
【符号の説明】
【０１３７】
Ａ１〜Ａ９：ＬＥＤモジュール
１Ａ：第１リード
１１Ａ：表面
１２Ａ：裏面
１３Ａ：突出部
１４Ａ：ひさし部
１５Ａ：第１薄肉延出部
１５１Ａ：天面
１５２Ａ：底面
１６Ａ：第１貫通孔
１６１Ａ：ひさし部
１Ｂ：第２リード
１１Ｂ：表面
１２Ｂ：裏面
１３Ｂ：突出部
１４Ｂ：ひさし部
１５Ｂ：第２薄肉延出部
１５１Ｂ：天面
１５２Ｂ：底面
１６Ｂ：第２貫通孔
１６１Ｂ：ひさし部
２：ＬＥＤチップ
３：ワイヤ
４：ケース
４１：側壁部
４２：内側面
４２ａ：切り欠き面
４３Ａ：第１保持部
４３Ｂ：第２保持部
５：封止樹脂
【図１】
0006435011.tif 000002
【図２】
0006435011.tif 000003
【図３】
0006435011.tif 000004
【図４】
0006435011.tif 000005
【図５】
0006435011.tif 000006
【図６】
0006435011.tif 000007
【図７】
0006435011.tif 000008
【図８】
0006435011.tif 000009
【図９】
0006435011.tif 000010
【図１０】
0006435011.tif 000011
【図１１】
0006435011.tif 000012
【図１２】
0006435011.tif 000013
【図１３】
0006435011.tif 000014
【図１４】
0006435011.tif 000015
【図１５】
0006435011.tif 000016
【図１６】
0006435011.tif 000017